(57)【要約】入力される映像信号（Ｓ１）を増幅し且つバイアス電圧（Ｖｂａ）を付加するプリアンプ回路（３１１）と、プリアンプ回路（３１１）から出力される信号を電力増幅するとともに反転させる出力回路（３１２）と、プリアンプ回路（３１１）で付加されるバイアス電圧（Ｖｂａ）の大きさを変更するプリアンプ制御部（３１４）とを有する。プリアンプ回路（３１１）は、プリアンプ制御部（３１４）によるバイアス電圧（Ｖｂａ）の変更にともなって増幅率（Ｇａ）が変更される。静止画モード、動画モードの動作モードに応じて、映像信号回路（３１）における周波数特性およびコントラストのダイナミックレンジを異ならせるように制御し、いずれをも良好な画像で表示する。
2002075707.tif 000002
【特許請求の範囲】
【請求項１】
映像信号を増幅し且つバイアス電圧を付加するプリアンプ回路および前記プリアンプ回路から出力される信号を電力増幅する出力回路を有する映像信号回路の制御方法であって、
前記プリアンプ回路で付加されるバイアス電圧の大きさを、映像信号の内容に応じて変更する、
ことを特徴とする映像信号回路の制御方法。
【請求項２】
前記バイアス電圧の大きさを、前記映像信号が静止画に係る映像信号であるか動画に係る映像信号であるかによって変更する、
請求項１記載の映像信号回路の制御方法。
【請求項３】
映像信号回路であって、
入力される映像信号を増幅し且つバイアス電圧を付加するプリアンプ回路と、
前記プリアンプ回路から出力される信号を電力増幅する出力回路と、
前記プリアンプ回路で付加されるバイアス電圧の大きさを変更するバイアス可変回路と、
を有することを特徴とする映像信号回路。
【請求項４】
前記出力回路は、前記プリアンプ回路から出力される信号を電力増幅するとともに反転させる、
請求項３記載の映像信号回路。
【請求項５】
前記プリアンプ回路は、その出力信号の最大振幅範囲内において、前記バイアス可変回路によるバイアス電圧の変更にともなって増幅率が変更される、
請求項３記載の映像信号回路。
【請求項６】
映像信号に基づいて映像を表示面に表示するディスプレイ装置であって、
入力される映像信号を増幅し且つバイアス電圧を付加するプリアンプ回路と、
前記プリアンプ回路から出力される信号を電力増幅する出力回路と、
前記プリアンプ回路で付加されるバイアス電圧の大きさを調整信号に応じて変更するバイアス可変回路と、
を有することを特徴とするディスプレイ装置。
【請求項７】
前記バイアス可変回路は、前記映像信号が静止画に係る映像信号である場合には前記バイアス電圧を大きくするように切り換え、動画に係る映像信号である場合には前記バイアス電圧を小さくするように切り換える、
請求項６記載のディスプレイ装置。
【請求項８】
前記映像信号が静止画に係る映像信号であるかまたは動画に係る映像信号であるかを識別する映像種別信号を受信する受信回路を有し、
前記バイアス可変回路は、前記映像種別信号を調整信号として用いて前記バイアス電圧の大きさを変更する、
請求項６記載のディスプレイ装置。
【請求項９】
前記バイアス電圧の大きさを調整するための操作部を有し、
前記バイアス可変回路は、前記操作部からの信号を調整信号として用いて前記バイアス電圧の大きさを変更する、
請求項６記載のディスプレイ装置。
【請求項１０】
コンピュータ本体および前記コンピュータ本体で生成される映像信号に基づいて表示面に映像を表示するディスプレイ装置を有するコンピュータシステムであって、
前記映像信号を増幅し且つバイアス電圧を付加するプリアンプ回路、
前記プリアンプ回路から出力される信号を電力増幅する出力回路、
前記映像信号の内容に関する映像種別信号を受信する受信回路、および、
前記映像種別信号に応じて前記プリアンプ回路で付加されるバイアス電圧の大きさを変更するバイアス可変回路、を有する映像信号回路と、
前記映像種別信号を生成する映像検出部と、
生成された映像種別信号を前記受信回路に送信する送信部と、
を有することを特徴とするコンピュータシステム。
【請求項１１】
生成した映像信号に基づいてディスプレイ装置の表示面に映像を表示させることの可能なコンピュータであって、
前記映像信号が静止画に係る映像信号であるかまたは動画に係る映像信号であるかを識別する映像種別信号を生成する映像検出部と、
生成された映像種別信号を前記ディスプレイ装置に送信する送信部と、
を有することを特徴とするコンピュータ。
【請求項１２】
映像信号を生成するプログラムのファイル名と前記映像種別信号との対応を示すテーブルを有し、
前記映像検出部は、前記テーブルを参照して前記映像種別信号を生成する、
請求項１１記載のコンピュータ。
【請求項１３】
生成した映像信号に基づいてディスプレイ装置の表示面に映像を表示させることの可能なコンピュータに用いられるコンピュータプログラムであって、
前記映像信号が静止画に係る映像信号であるかまたは動画に係る映像信号であるかを識別する映像種別信号を生成する処理と、
生成された映像種別信号を前記ディスプレイ装置に送信する処理と、
を前記コンピュータに実行させるコンピュータプログラム。
【請求項１４】
請求項１３記載のコンピュータプログラムが記録されたコンピュータ読み取り可能な記録媒体。
【発明の詳細な説明】
技術分野
この発明は、映像信号回路の制御方法、映像信号回路、ディスプレイ装置、およびコンピュータ、ならびにコンピュータプログラムおよび記録媒体に関する。特に、本発明はパーソナルコンピュータ用のＣＲＴディスプレイ装置に適用され、コントラストの効いた動画を表示するために利用される。
背景技術
一般に、パーソナルコンピュータは、コンピュータ本体、ディスプレイ装置、プリンタ、および入力装置などによって構成される。パーソナルコンピュータによって処理された内容は、多くの場合にディスプレイ装置に画像（または映像）として表示される。
従来において、ディスプレイ装置に表示される画像は、文字を主体とする静止画が一般的であった。しかし、近年においては、パーソナルコンピュータがＤＶＤ（Ｄｉｇｉｔａｌ  Ｖｉｄｅｏ  Ｄｉｓｋ）の再生のために用いられ、またはビデオ編集のために用いられたりし、動画を表示する機会が増えてきた。
ディスプレイ装置に静止画を表示する場合には、画像のシャープさが重要な要素であった。これに対して、動画を表示する場合には、画像のコントラストまたは明るさが重要な要素となる。
従来のディスプレイ装置では、画像のシャープさ、フォーカシングのよさを重要視するため、周波数特性を良好に維持するように映像信号回路が設計されている。そのため、コントラストのダイナミックレンジが少し犠牲となり、画像について高いコントラストを得ることが困難である。
次に、従来の映像信号回路について、本発明の実施形態の映像信号回路３１を示す第２図、および従来からの映像信号の波形の例を示す第５図を参照して説明する。なお、従来例と本発明の実施形態とを区別する必要がある場合に、従来の各要素の符号の末尾に「ｊ」を付す。
映像信号回路３１ｊは、第２図に示すように、プリアンプ回路３１１ｊ、出力回路３１２ｊ、バイアス回路３１３ｊ、ブラウン管ＢＴなどからなる。
映像信号Ｓ１は、Ｒ（Ｒｅｄ）、Ｇ（Ｇｒｅｅｎ）、Ｂ（Ｂｌｕｅ）の各映像信号のうちの１つである。第５図に示すように、映像信号Ｓ１は、各画素に対応したパルスからなるパルス信号列である。例えば、１０２４×８００ドットの画面では、水平同期信号の１周期の間に１０２４個のパルスが現れる。各パルスは、当該色の輝度レベルに応じた波高値を有する。つまり、当該色の濃度レベルに応じて、０ボルトから最大０．７ボルトの値を取り得る。０ボルトが最低輝度、０．７ボルトが最大輝度である。Ｒ，Ｇ，Ｂの全ての映像信号Ｓ１が０ボルトのときには黒、０．７ボルトのときには白となる。
プリアンプ回路３１１ｊは、入力される映像信号Ｓ１を適当な増幅率で増幅し、且つ一定の電圧値のバイアス電圧Ｖｂａｊを付加する。つまり、増幅率に応じて、最大値が０．７ボルトの映像信号Ｓ１を、最大値２〜５ボルトの信号に増幅する。ここでの増幅率は、出力回路３１２の増幅率および特性、並びにブラウン管ＢＴなどの特性に応じて決められて固定されている。固定された増幅率によって、例えば最大値が３ボルトの信号を得る。そして、映像信号に１ボルトのバイアス電圧Ｖｂａｊを付加する。バイアス電圧Ｖｂａｊを付加する理由は、後段の出力回路３１２ｊにおいて、信号の立ち上がりを速くし、周波数特性を良好に維持するためである。その結果、プリアンプ回路３１１ｊからは、信号Ｓ２ｂが出力される。
出力回路３１２ｊは、プリアンプ回路３１１ｊから出力される信号Ｓ２ｂを一定の増幅率で電力増幅し、且つ反転する。出力回路３１２ｊには、電源電圧Ｖｃｃとして、８０ボルト程度の電圧が供給される。例えば、出力回路３１２ｊの増幅率を「１４」とすると、バイアス電圧Ｖｂａｊ分の１ボルトは１４ボルトとなり、映像信号の最大値の３ボルトは４２ボルトとなる。その結果、出力回路３１２ｊからは、信号Ｓ３ｂが出力される。
なお、信号Ｓ３ｂにおいて、映像信号の振幅の理論的な最大値は６６ボルトであり、したがって理論的なダイナミックレンジは０〜６６ボルトである。しかし、実際には、輝度の調整範囲として例えば２４ボルト程度を確保するために、ダイナミックレンジは０〜４２ボルトの範囲に抑えられる。
バイアス回路３１３ｊは、ブラウン管ＢＴの電子銃の輝点消去電圧のばらつきを補正する。つまり、出力回路３１２ｊから出力される信号Ｓ３ｂに対して、黒レベルを揃えるための処理を施す。例えば、信号Ｓ３ｂの直流分をカットし、所定のバイアス電圧Ｖｂｄを加える。これによって、映像信号の黒レベルが、ブラウン管ＢＴに応じて、１２０ボルト付近に設定される。その結果、バイアス回路３１３からは、信号Ｓ４ｂが出力される。信号Ｓ４ｂは、ブラウン管ＢＴのカソードに加えられる。
ユーザは、ディスプレイ装置１２ｊを使用するに当たり、輝度調整およびコントラスト調整を行うことができる。輝度調整を行うと、信号Ｓ４ｂの黒レベルの電位が上下に可変される。コントラスト調整を行うと、映像信号の振幅の最大値が０〜４２ボルトの間で可変される。
コントラストのダイナミックレンジを広げるには、ブラウン昔ＢＴのカソードに加えられる映像信号の振幅の範囲を大きくすればよい。そのためには、信号の振幅の最大値を大きくすればよいが、従来においては、信号の振幅の最大値は４２ボルトに固定されている。静止画を表示する場合にはこれで充分である。周波数特性がよいので、シャープな画像が表示される。
しかし、上に述べたように、動画を表示した場合には、画像のコントラストが充分でない。そのため、画像が全体的に暗くなって見にくく、動画を充分に楽しむことができない。
発明の開示
本発明の目的は、ディスプレイ装置の表示面に表示する画像に応じて、画像のシャープさを優先させまたは高コントラストを優先させ、静止画および動画のいずれをも良好な画像で表示することである。
本発明の１つの実施形態によると、映像信号を増幅し且つバイアス電圧を付加するプリアンプ回路および前記プリアンプ回路から出力される信号を電力増幅する出力回路を有する映像信号回路の制御方法であって、前記プリアンプ回路で付加されるバイアス電圧の大きさを、映像信号の内容に応じて変更する。
好ましくは、前記バイアス電圧の大きさを、前記映像信号が静止画に係る映像信号であるか動画に係る映像信号であるかによって変更する。
本発明の映像信号回路の１つの実施形態によると、入力される映像信号を増幅し且つバイアス電圧を付加するプリアンプ回路と、前記プリアンプ回路から出力される信号を電力増幅する出力回路と、前記プリアンプ回路で付加されるバイアス電圧の大きさを変更するバイアス可変回路とを有して構成される。
発明を実施するための最良の形態
第１図において、コンピュータシステム１は、コンピュータ１１、ディスプレイ装置１２、キーボード１３、マウス１４、および媒体ドライブ装置１５などからなる。
コンピュータ１１のハードウエア構成は、ＣＰＵ、ＲＡＭ、通信制御装置、および磁気ディスク装置などを備える公知のものである。磁気ディスク装置には、オペレーティングシステムＯＳ、種々の機能を実現するために必要なアプリケーションプログラムＡＰＬ、およびデータなどが記憶される。これらのプログラムまたはデータは、必要に応じてＲＡＭに読み込まれ、ＣＰＵによって演算処理が行われる。
オペレーティングシステムＯＳまたはアプリケーションプログラムＡＰＬが実行されると、必要な画像をディスプレイ装置１２に表示するための信号が生成される。その信号の中には、映像信号および同期信号などが含まれる。
キーボード１３およびマウス１４は、ユーザによる指令の入力、データの入力などのために用いられる。媒体ドライブ装置１５は、ＣＤ−ＲＯＭ、フロッピーディスク、または光磁気ディスクなどの種々の記録媒体ＳＴ１，ＳＴ２にアクセスし、データまたはプログラムの読み書きを行う。
本発明に係るコンピュータプログラムは、上に述べた種々の記録媒体ＳＴ１，ＳＴ２に記録され、それら記録媒体ＳＴ１，ＳＴ２によって供給可能である。また、通信回線ＫＳを介して他のサーバからダウンロードすることも可能である。プログラムは、種々のＯＳ、プラットホーム、システム環境、またはネットワーク環境の下で動作するように供給可能である。
さて、第１図に示すように、コンピュータ１１には、映像制御部２１およびディスプレイインタフェース２２が設けられる。映像制御部２１には、映像検出部２１１および種別テーブルＴＢ１が設けられる。
映像検出部２１１は、ディスプレイ装置１２によって表示すべき画像が、静止画であるかまたは動画であるかを識別する映像種別信号Ｓ１２を生成する。
種別テーブルＴＢ１には、第３図に示すように、プログラムのファイル名ＮＦと映像種別ＥＳとの対応を示す映像種別情報が格納される。映像種別情報は、メーカまたはユーザなどによって予め設定される。例えば、ワープロ用プログラム、表計算プログラム、または事務管理プログラムなどのように、プログラムが主として静止画を表示する場合には、映像種別ＥＳとして「静止画」が設定される。ＤＶＤ再生プログラムまたは動画再生プログラムなどのように、プログラムが主として動画を表示する場合には、映像種別ＥＳとして「動画」が設定される。
映像検出部２１１は、種別テーブルＴＢ１を参照して、映像信号を出力しているプログラムの映像種別情報が「静止画」である場合に、「静止画」を示す映像種別信号Ｓ１２を生成し、プログラムの映像種別情報が「動画」である場合に「動画」を示す映像種別信号Ｓ１２を生成する。
また、種別テーブルＴＢ１に記録されていないプログラムについては、その拡張子に基づいて映像種別が判別される。また、ＣＤ−ＲＯＭなどの記録媒体から読み出されるプログラムまたはデータの場合には、記録媒体の種類および内容に基づいて映像種別を判別することができる。
また、キーボード１３またはマウス１４から入力された指令に基づいて、映像種別信号Ｓ１２を生成してもよい。その場合には、例えば、映像種別を指定するための画面をディスプレイ装置１２の表示面に表示し、ユーザがそれに対応した指令を入力する。
Ｒ，Ｇ，Ｂの各映像信号Ｓ１、水平および垂直の同期信号Ｓ１１、および映像種別信号Ｓ１２は、ディスプレイインタフェース２２を介してディスプレイ装置１２に出力される。このような信号の授受のために、専用の信号線またはＤＤＣ通信線が用いられる。ＤＤＣ通信線は、ディスプレイ装置についての規格化された１５ピンのインタフェースに基づく。ＤＤＣ通信線では、映像種別信号Ｓ１２の他に、他の種々の制御信号またはデータの通信を行うことが可能である。
次に、ディスプレイ装置１２は、Ｒ，Ｇ，Ｂの各映像信号回路３１Ｒ，３１Ｇ，３１Ｂ、偏向回路３２、制御部３３、操作部３４、電源部３５、およびブラウン管ＢＴなどを有する。
各映像信号回路３１Ｒ，３１Ｇ，３１Ｂは互いに同様な構成であるので、これらのうちの１つのみについて説明する。なお、これらの１つまたは全体を指して「映像信号回路３１」と記載することがある。
コンピュータ１１から出力されたＲ，Ｇ，Ｂの各映像信号Ｓ１は、映像信号回路３１Ｒ，３１Ｇ，３１Ｂを介してブラウン管ＢＴのカソードに出力される。
同期信号Ｓ１１は偏向回路３２に入力される。偏向回路３２によって、ブラウン管ＢＴの電子ビームが水平方向および垂直方向に偏向される。偏向回路３２は従来より公知のものである。
映像種別信号Ｓ１２は制御部３３に入力される。制御部３３は、映像種別信号Ｓ１２が「静止画」または「動画」のいずれを示すかに応じて、動作モードを静止画モードと動画モードとに切り換える。これらの動作モードに応じて、映像信号回路３１における周波数特性およびコントラストのダイナミックレンジを異ならせるように制御する。また、ユーザによる操作部３４の操作に応じて、静止画モードと動画モードとを切り換える。
第２図において、映像信号回路３１は、プリアンプ回路３１１、出力回路３１２、バイアス回路３１３、プリアンプ制御部３１４、バイアス制御部３１５、ブおよびラウン管ＢＴなどからなる。これらの要素のうち、背景技術の項で説明した事項については、ここでの説明を省略しまたは簡略化する。
プリアンプ回路３１１は、映像信号Ｓ１を適当な増幅率Ｇａで増幅し、且つバイアス電圧Ｖｂａを付加する。バイアス電圧Ｖｂａの大きさは、プリアンプ制御部３１４によって可変される。また、プリアンプ回路３１１の増幅率Ｇａも、プリアンプ制御部３１４によって可変される。
例えば、静止画モードでは、バイアス電圧Ｖｂａを１ボルトとし、増幅率Ｇａを「４．３」とする。動画モードでは、バイアス電圧Ｖｂａを０．４ボルトとし、増幅率Ｇａを「５．１」とする。
その結果、プリアンプ回路３１１からは、第４図および第５図に示すように、映像信号の範囲およびバイアス電圧Ｖｂａの異なる２種類の信号Ｓ２ａ，Ｓ２ｂが出力される。
つまり、静止画モードでは、第５図の信号Ｓ２ｂに示すように、映像信号の最大値は３ボルトであり、動画モードでは、第４図の信号Ｓ２ａに示すように、映像信号の最大値は３．６ボルトである。これらいずれの場合も、プリアンプ回路３１１の出力電圧の最大値は４ボルトである。
出力回路３１２は、プリアンプ回路３１１から出力される信号Ｓ２を一定の増幅率で電力増幅し、且つ反転する。出力回路３１２には、電源電圧Ｖｃｃとして、８０ボルト程度の電圧が供給される。
例えば、出力回路３１２の増幅率を「１４」とすると、静止画モードでは、第５図の信号Ｓ３ｂに示すように、バイアス電圧Ｖｂａ分の１ボルトは１４ボルトとなり、映像信号の最大値の３ボルトは４２ボルトとなる。動画モードでは、第４図の信号Ｓ３ａに示すように、バイアス電圧Ｖｂａ分の０．４ボルトは５．６ボルトとなり、映像信号の最大値の３．６ボルトは５０．４ボルトとなる。
つまり、コントラストのダイナミックレンジは、静止画モードでは０〜４２ボルトであるに対し、動画モードでは０〜５０．４ボルトと広くなる。つまり、動画モードでは７．６ボルトの余裕ができる。したがって、動画モードでは、コントラストの効いた画像が表示される。なお、いずれのモードでも、輝度の調整範囲として２４ボルトが確保されている。
また、動画モード時における理論的なダイナミックレンジは、０〜７４．４ボルトと広くなる。
バイアス回路３１３は、出力回路３１２から出力される信号Ｓ３の黒レベルを揃える。つまり、映像信号の黒レベルを１２０ボルト付近に設定する。その結果、バイアス回路３１３からは、信号Ｓ４ａ，Ｓ４ｂが出力される。
つまり、静止画モードでは、第５図の信号Ｓ４ｂに示すように、１３４ボルトのバイアス電圧が与えられ、動画モードでは、第４図の信号Ｓ４ａに示すように、１２５．６ボルトのバイアス電圧が与えられる。このようなバイアス電圧は、動作モードに応じて、バイアス制御部３１５によって与えられる。
ユーザは、ディスプレイ装置１２を使用するに当たり、輝度調整およびコントラスト調整を行うことができる。輝度調整を行うと、バイアス電圧Ｖｂｄが可変され、信号Ｓ４の黒レベルの電位が可変される。コントラスト調整に際して、静止画モードの場合には、映像信号の振幅の最大値が０〜４２ボルトの範囲でコントラスト調整を行うことができる。動画モードの場合には、映像信号の振幅の最大値が０〜５０．４ボルトの範囲でコントラスト調整を行うことができる。
したがって、動画モードでは、黒い部分を黒く維持しつつ画像の全体を明るくすることができ、コントラストの効いた画像を楽しむことができる。
但し、動画モードでは、バイアス電圧Ｖｂａが０．４ボルトと低くなっているので、出力回路３１２における周波数特性が若干悪くなり、画像のシャープさが低下する。しかし、通常、画像が動画である場合には、ユーザは静止画の場合のように表示面に近づいて画像を凝視することはなく、表示面から離れて画像の全体の動きを見るのが普通である。このような状況では、フォーカシングまたは縦線のキレが甘くなって画質が若干悪くなっても、実用上は何ら問題ない。つまり、動画の場合には、画像のコントラストおよび明るさが重視され、静止画の場合と比較してシャープさは余り気にならない。
また、静止画モードでは、従来どおりシャープな画像を表示することができる。
第６図はコンピュータ１１の映像制御部２１における処理内容を示すフローチャートである。
第６図において、現に出力する映像信号の映像種別を判別する（＃１１）。そして、映像種別が静止画であるか動画であるかによって、映像種別信号Ｓ１２を生成する。生成した映像種別信号Ｓ１２をディスプレイ装置１２に送信する（＃１２）。
このような処理は、適当なタイミングで繰り返して行われ、または実行されるアプリケーションプログラムが変更される度毎に行われる。処理は、コンピュータプログラムをＣＰＵが実行することによって行われる。ハードウエア回路によって行われるように構成してもよい。
上に述べたように、本実施形態によると、表示する画像に応じて、画像のシャープさを優先させまたは高コントラストを優先させ、静止画および動画のいずれをも良好な画像で表示することができる。
なお、プリアンプ回路３１１、出力回路３１２、バイアス回路３１３などは、トランジスタ、ダイオード、抵抗、コンデンサ、および集積回路素子などを用いて構成することができる。出力回路３１２は、１チップ集積回路として市販されたものを用いることもできる。
したがって、出力回路３１２に汎用の１チップ集積回路を用いて簡単に高コントラスト表示を実現することができ、コスト／性能において有利である。
上に述べた実施形態では、プリアンプ制御部３１４およびバイアス制御部３１５を映像信号回路３１の一部とした例について説明した。しかし、これらを制御部３３に含めてもよい。プリアンプ制御部３１４、バイアス制御部３１５、および制御部３３をＭＣＵ回路によって構成してもよい。その場合に、映像種別信号Ｓ１２をＭＣＵ回路の入力ポートに入力し、入力ポートの電位変化によって動作モードを切り換えてもよい。なお、プリアンプ回路３１１の増幅率Ｇａの決定に当たり、例えば、表示面での所定面積の輝度が規定値となるように増幅率Ｇａを決めてもよい。
上に述べた実施形態においては、出力回路３１２として汎用の集積回路素子をそのまま用いて静止画モードと動画モードとを切り換えることができる。しかし、プリアンプ回路３１１の増幅率Ｇａを可変することなく、またはこれとともに、出力回路３１２の増幅率を可変するようにしてもよい。
上に述べた実施形態において、静止画モードまたは動画モードにおけるバイアス電圧Ｖｂａ、増幅率Ｇａなどは、上に述べた以外の種々の値とすることができる。その場合に、ディスプレイ装置１２の開発時または設計時に、それらの値の最適値を実験的に求めておけばよい。２つの動作モードではなく、３つ以上の動作モードを設けてもよい。例えば、静止画モードＡ、静止画モードＢ、動画モードＡ、動画モードＢなどとしてもよい。複数のモードを切り換えるのではなく、バイアス電圧Ｖｂａおよび増幅率Ｇａなどを連続的に変化させてもよい。その場合に、ハードウエアまたはソフトウエアによるレバーを設け、ユーザがレバーを操作してそれらの値を決定するようにしてもよい。
その他、コンピュータ１１、ディスプレイ装置１２、およびコンピュータシステム１の各部または全体の構成、回路、使用する素子、レイアウト、電圧値、処理の内容及び順序などは、本発明の趣旨に沿って適宜変更することができる。
産業上の利用可能性
以上のように、本発明に係る映像信号回路およびディスプレイ装置は、パーソナルコンピュータ用のＣＲＴディスプレイ装置に適用され、静止画および動画のいずれをも良好な画像で表示するものであり、電子機器産業および通信業などに有用である。
【図面の簡単な説明】
第１図は本発明に係る１つの実施形態を示すコンピュータシステムのブロック図、第２図はディスプレイ装置の映像信号回路の例を示す回路図、第３図は種別テーブルの例を示す図、第４図は動画モード時の各信号の波形の例を示す図、第５図は静止画モード時の各信号の波形の例を示す図、第６図はコンピュータの映像制御部における処理内容を示すフローチャートである。
【図１】
2002075707.tif 000003
【図２】
2002075707.tif 000004
【図３】
2002075707.tif 000005
【図４】
2002075707.tif 000006
【図５】
2002075707.tif 000007
【図６】
2002075707.tif 000008
【国際調査報告】
2002075707.tif 000009
2002075707.tif 000010
2002075707.tif 000011